(57)【特許請求の範囲】
【請求項１】
箱本体の四方を形成する側面部と、該側面部の前記四方のうち対向する前記側面部の端部にそれぞれ連続し前記箱本体の組立時に前記箱本体の開口部最外部を覆い対向端部が係合する４枚の外側フラップ部と、該外側フラップ部の側部側の前記側面部の端部にそれぞれ連続し前記外側フラップ部の内側面に接し前記開口部の一部を覆う４枚の側部フラップ部と、を有する梱包箱において、
前記側部フラップ部と前記側面部との外側山折り部において前記側部フラップ部と前記側面部とにわたって連続して形成された所定の長さの切り込みを有する、ことを特徴とする梱包箱。
【請求項２】
前記切り込みは、前記箱本体の組立時に２枚の前記外側フラップ部の対向端部が係合する位置に対応する位置に形成される、ことを特徴とする請求項１記載の梱包箱。
【請求項３】
前記切り込みは、その前記側面部に形成される長さは、前記箱本体の組立時後の封印に使用される粘着テープが前記側面部に貼着される長さよりも短く形成されている、ことを特徴とする請求項１記載の梱包箱。
【請求項４】
前記外側フラップ部の対向端部の長さに前記粘着テープが前記側面部に貼着される長さを足した長さよりも長い紐を付属品として備える、ことを特徴とする請求項３記載の梱包箱。
【請求項５】
前記紐は、一端に少なくとも人の指を差し入れるに足るだけの大きさの輪が形成されている、ことを特徴とする請求項４記載の梱包箱。
【請求項６】
請求項１記載の梱包箱を使用する梱包方法として、
前記箱本体の四方を前記側面部で形成し、
梱包後の下面に対応する２枚の前記側部フラップ部を内部に折込み、
内部に折り込んだ２枚の前記側部フラップ部の外面に当てるように２枚の前記外側フラップ部を折込み、
前記箱本体の四方の側面部のうち折り込んだ２枚の前記外側フラップ部の側部側の一方の前記側面部の一部から２枚の前記外側フラップ部の前記対向端部に沿い他方の前記側面部の一部まで粘着テープを貼着して梱包前の下面を封止し、
前記箱本体の梱包前の上面開口から内部に被梱包部材を収容し、
梱包後の上面に対応する２枚の前記側部フラップ部を内部に折込み、
２枚のうちいずれか一方の前記側部フラップ部の前記切り込みと該切り込みに連続する前記側面部の前記切り込みとに紐を挿通し、
該紐の挿通端部を前記粘着テープが封印時に前記側面部の前記切り込みを覆って貼着される長さよりも長く引き出し、
前記紐の挿通端部の反対側端部を、梱包後の上面に対応する２枚の前記外側フラップ部の前記対向端部の前記紐を挿通した前記切り込みの反対側端部まで延在させ、
前記箱本体の梱包後の上面に折り込んだ２枚の前記外側フラップ部の側部側の前記紐を挿通した前記切り込みがある前記側面部から、前記切り込みに挿通した前記紐の端部の適宜長を外部に露出させて前記粘着テープを貼着し、該粘着テープを２枚の前記外側フラップ部の前記対向端部に沿って延長させながら前記紐の挿通部の反対側の前記側面部の一部まで前記粘着テープを貼着して梱包後の上面を封止する、ことを説明した梱包説明書を付属品として備える、
ことを特徴とする請求項１記載の梱包箱。
【請求項７】
前記梱包説明書に記載の梱包方法で前記被梱包部材を梱包した前記梱包箱を開梱する開梱方法として、
前記梱包箱の上面を封止する前記粘着テープの端部から外部に露出する前記紐の端部を手に持ち、
該手に持った前記紐の端部を前記粘着テープに沿って該粘着テープの外側へ引き上げることにより該粘着テープを前記紐の延長部で切り開き、
前記箱本体の梱包後の上面に折り込まれて前記粘着テープで封止されていた２枚の前記外側フラップ部の前記対向端部を開放する、ことを説明した開梱説明書を付属品として備える、
ことを特徴とする請求項６記載の梱包箱。
【請求項８】
箱本体の四方を形成する側面部と、該側面部の前記四方の下側端部にそれぞれ連続し前記箱本体の組立時に互いに組み合わせる方式で協働して接着材の不要な又は一部に接着材による接着部を有して前記箱本体の底面を形成する４枚の底部フラップ部と、前記側面部の前記四方の上側端部の一辺の端部に連続し先端部が前記一辺の端部に対向する他辺の端部に係合して前記箱本体の上側開口部の最外部を覆う上部フラップ部と、上部フラップ部の内側面に接し上側開口部の一部を覆う２枚の側部フラップ部と、を有する梱包箱において、
前記上部フラップ部の先端部と前記他辺の端部との係合部の近傍において、前記側面部と前記側部フラップ部とにわたって連続して形成された所定の長さの切り込みを有する、ことを特徴とする梱包箱。
【発明の詳細な説明】
【技術分野】
【０００１】
本発明は、被梱包物品を梱包後の梱包箱を開梱するときに工具を使用せず粘着テープを梱包箱に貼着させたまま容易に開梱できるようにした梱包箱に関する。
【背景技術】
【０００２】
従来、物品を運搬しやすくするために物品を梱包部材で梱包して運搬していた。梱包部材としては、古くは莚と荒縄、近くはクラフト紙袋と樹脂のテープ状紐、近年ではダンボール箱と通称ガムテープといわれる幅広の丈夫な粘着テープが使用される。
【０００３】
ダンボール箱と粘着テープを使用した梱包では、上面フラップ部の合せ目を粘着テープで封止する。運搬先で梱包を開梱する際には、先ず梱包の上面フラップ部を封止している粘着テープを剥がしてからフラップ部を開ける。
【０００４】
しかし、粘着テープが強力に接着されている場合には、手では容易に粘着テープを剥がせないために、カッターなどの工具を使用して、フラップ部の合せ目にカッターを入れ、合せ目に沿って粘着テープを切断してフラップ部を開ける場合が多い。
【０００５】
ところが、フラップ部の合せ目にカッターを入れると、カッターで梱包箱内部の商品に傷を付ける虞がある。そればかりでなく、工具使用時には、工具を準備し、工具使用後は工具保管場所に戻す等の作業を要して面倒である。
【０００６】
また、粘着テープを手で剥がした場合でも、粘着テ−プとの接着部であった梱包箱の箱破れが起きるなどの不具合だけでなく、剥がした粘着テ−プが手や周りの部材に絡みつかないように気配りしながら剥がす面倒や、剥がし終った粘着テ−プをゴミ入れに捨てるときでも、粘着テ−プの粘着性が残っている部分が周囲に絡みつかないように気配りするという面倒がある。
【０００７】
そこで、なるべく面倒のないように、また、フラップ部の合せ目にカッターを入れることなく、良好に粘着テープを剥がせるようにするために、少なくとも一方のフラップ部の側面側の端部に、粘着テープによって隠される範囲に破断線を入れて構成した梱包箱が提案されている（例えば、特許文献１参照）。
【０００８】
この特許文献１の従来技術は、封止された梱包箱の粘着テープを剥がす際には、梱包箱の短尺側面の上端とフラップ部との間にカッターを入れて、カッターで粘着テープの端部の上端を切断し、その後に粘着テープを一方向から剥がしてゆくようにしている。
【０００９】
このとき、上面フラップ部側の破断線を入れて形成された三角形の切除部を粘着テープと共にカッターで切断した端部側から指で摘み上方へ持ち上げると、三角形の切除部が切断線により上面フラップ部から切除され、この切除部を指で摘んだまま粘着テープを上方へ持ち上げて左端側から右端側へ剥がしてゆくことで、粘着テープの剥がし作業を極めて良好に行えるというものである。
【先行技術文献】
【特許文献】
【００１０】
【特許文献１】特開２００８−１３７６５８号公報
【発明の概要】
【発明が解決しようとする課題】
【００１１】
しかしながら、特許文献１の従来技術では、開梱作業の初期において粘着テープを指で摘み上げる部分を形成するための工具としてカッターを使用しており、また、梱包箱から粘着テープを剥がし易いというだけで、梱包箱から粘着テープを剥がす点においては従来と変わるところがない。
【００１２】
これでは、前述した工具使用時には工具を準備し、工具使用後は工具保管場所に工具を戻すという作業上の面倒は解消されないという課題がある。また、粘着テ−プを剥がしているときやゴミ入れに捨てるときに、粘着テ−プの粘着性が残っている部分が周囲に絡みつかないように気配りしなければならないという面倒も解消されないという課題がある。
【課題を解決するための手段】
【００１３】
上記の課題を解決するために、本発明の梱包箱、その梱包箱による梱包方法、及びその開梱方法において、先ず、第１の発明の梱包箱は、箱本体の四方を形成する側面部と、該側面部の上記四方のうち対向する上記側面部の端部にそれぞれ連続し上記箱本体の組立時に上記箱本体の開口部最外部を覆い対向端部が係合する４枚の外側フラップ部と、該外側フラップ部の側部側の上記側面部の端部にそれぞれ連続し上記外側フラップ部の内側面に接し上記開口部の一部を覆う４枚の側部フラップ部と、を有する梱包箱において、上記側部フラップ部と上記側面部との外側山折り部において上記側部フラップ部と上記側面部とにわたって連続して形成された所定の長さの切り込みを有して構成される。
【００１４】
この梱包箱において、例えば、上記切り込みは、上記箱本体の組立時に２枚の上記外側フラップ部の対向端部が係合する位置に対応する位置に形成され、また、例えば、上記側面部に形成される長さは、上記箱本体の組立時後の封印に使用される粘着テープが上記側面部に貼着される長さよりも短く形成される。
【００１５】
また、この梱包箱において、上記外側フラップ部の対向端部の長さに上記粘着テープが上記側面部に貼着される長さを足した長さよりも長い紐を付属品として備えるように構成される。上記紐は、例えば、一端に少なくとも人の指を差し入れるに足るだけの大きさの輪が形成されているようにするのが好ましい。
【００１６】
また、この梱包箱において、この梱包箱を使用する梱包方法として、例えば、上記箱本体の四方を上記側面部で形成し、梱包後の下面に対応する２枚の上記側部フラップ部を内部に折込み、内部に折り込んだ２枚の上記側部フラップ部の外面に当てるように２枚の上記外側フラップ部を折込み、上記箱本体の四方の側面部のうち折り込んだ２枚の上記外側フラップ部の側部側の一方の上記側面部の一部から２枚の上記外側フラップ部の上記対向端部に沿い他方の上記側面部の一部まで粘着テープを貼着して梱包前の下面を封止し、上記箱本体の梱包前の上面開口から内部に被梱包部材を収容し、梱包後の上面に対応する２枚の上記側部フラップ部を内部に折込み、２枚のうちいずれか一方の上記側部フラップ部の上記切り込みと該切り込みに連続する上記側面部の上記切り込みとに紐を挿通し、該紐の挿通端部を上記粘着テープが封印時に上記側面部の上記切り込みを覆って貼着される長さよりも長く引き出し、上記紐の挿通端部の反対側端部を、梱包後の上面に対応する２枚の上記外側フラップ部の上記対向端部の上記紐を挿通した上記切り込みの反対側端部まで延在させ、上記箱本体の梱包後の上面に折り込んだ２枚の上記外側フラップ部の側部側の上記紐を挿通した上記切り込みがある上記側面部から、上記切り込みに挿通した上記紐の端部の適宜長を外部に露出させて上記粘着テープを貼着し、該粘着テープを２枚の上記外側フラップ部の上記対向端部に沿って延長させながら上記紐の挿通部の反対側の上記側面部の一部まで上記粘着テープを貼着して梱包後の上面を封止する、ことを説明した梱包説明書を付属品として備える、ように構成される。
【００１７】
更にこの梱包箱において、上記梱包説明書に記載の梱包方法で上記被梱包部材を梱包した上記梱包箱を開梱する開梱方法として、上記梱包箱の上面を封止する上記粘着テープの端部から外部に露出する上記紐の端部を手に持ち、該手に持った上記紐の端部を上記粘着テープに沿って該粘着テープの外側へ引き上げることにより該粘着テープを上記紐の延長部で切り開き、上記箱本体の梱包後の上面に折り込まれて上記粘着テープで封止されていた２枚の上記外側フラップ部の上記対向端部を開放する、ことを説明した開梱説明書を付属品として備える、ように構成される。
【００１８】
次に、第２の発明の梱包箱は、箱本体の四方を形成する側面部と、該側面部の上記四方の下側端部にそれぞれ連続し上記箱本体の組立時に互いに組み合わせる方式で協働して接着材の不要な又は一部に接着材による接着部を有して上記箱本体の底面を形成する４枚の底部フラップ部と、上記側面部の上記四方の上側端部の一辺の端部に連続し先端部が上記一辺の端部に対向する他辺の端部に係合して上記箱本体の上側開口部の最外部を覆う上部フラップ部と、上部フラップ部の内側面に接し上側開口部の一部を覆う２枚の側部フラップ部と、を有する梱包箱において、上記上部フラップ部の先端部と上記他辺の端部との係合部の近傍において、上記側面部と上記側部フラップ部とにわたって連続して形成された所定の長さの切り込みを有する、ように構成される。
【発明の効果】
【００１９】
本発明の梱包箱は、被梱包物品を梱包後の梱包箱を開梱するときに工具を使用せず粘着テープを梱包箱に貼着させたまま容易に開梱できるので、開梱のためのカッター等の工具を準備したり使用後に工具保管場所に工具を戻すという作業上の面倒がなく、また、粘着テ−プを剥がしているときやゴミ入れに捨てるときに、粘着テ−プの粘着性が残っている部分が周囲に絡みつかないように気配りするという面倒が無く、開梱作業の能率が向上するという効果を奏する。
【図面の簡単な説明】
【００２０】
【図１】本発明の実施例１に係る梱包箱で梱包されて運搬される被梱包部材が集合して組立てられてなる製品の例としてフルカラーの画像形成装置（プリンタ）の内部構成を説明する断面図である。
【図２】プリンタの画像形成ユニットを１個のみ取り出してその外観を示す斜視図である。
【図３】画像形成ユニットにおいて現像器が更にトナーカートリッジと現像部に分離される２つのキット部から成ることを示す図である。
【図４】プリンタを構成する集合組立て部材の中の１つを示す一例としてトナーカートリッジを取り上げそのトナーカートリッジが内装袋により包装されている状態を示す図である。
【図５】(a) は実施例１に係る梱包箱の段ボール箱工場から出荷時の平らに折り畳まれた状態を示す図、(b) は被包装物品を外装するために梱包箱の組立を開始した状態を示す図である。
【図６】(a) 〜(d) は実施例１に係る梱包箱を使用して被外装物品を梱包する場合の梱包方法を説明する図である。
【図７】(a) 〜(e) は実施例２に係る梱包箱を使用して被外装物品を梱包する場合の梱包方法を説明する図である。
【発明を実施するための形態】
【００２１】
以下、本発明の実施の形態について、詳細に説明する。
【実施例１】
【００２２】
図１は、実施例１に係る梱包箱で梱包されて運搬される被梱包部材が集合して組立てられてなる製品の例として、フルカラーの画像形成装置（以下、単にプリンタという）の内部構成を説明する断面図である。
【００２３】
図１に示すプリンタ１は、電子写真式で二次転写方式のタンデム型のカラー画像形成装置であり、画像形成部２、中間転写ベルトユニット３、給紙部４、及び両面印刷用搬送ユニット５で構成されている。
【００２４】
上記画像形成部２は、同図の右から左へ４個の画像形成ユニット６（６Ｍ、６Ｃ、６Ｙ、６Ｋ）を多段式に並設した構成からなる。
【００２５】
上記４個の画像形成ユニット６のうち上流側（図の右側）の３個の画像形成ユニット６Ｍ、６Ｃ及び６Ｙは、それぞれ減法混色の三原色であるマゼンタ（Ｍ）、シアン（Ｃ）、イエロー（Ｙ）の色トナーによるモノカラー画像を形成し、画像形成ユニット６Ｋは、主として文字や画像の暗黒部分等に用いられるブラック（Ｋ）トナーによるモノクロ画像を形成する。
【００２６】
上記の各画像形成ユニット６は、トナー容器（トナーカートリッジ）に収納されたトナーの色を除き全て同じ構成である。したがって、以下ブラック（Ｋ）用の画像形成ユニット６Ｋを例にしてその構成を説明する。
【００２７】
画像形成ユニット６は、最下部に感光体ドラム７を備えている。この感光体ドラム７は、その周面が例えば有機光導電性材料で構成されている。この感光体ドラム７の周面近傍を取り巻いて、クリーナ８、帯電ローラ９、光書込ヘッド１１、及び現像器１２の現像ローラ１３が配置されている。
【００２８】
現像器１２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備えている。
【００２９】
また、現像器１２の下部には側面開口部に上述した現像ローラ１３を備え、内部にはトナー撹拌部材、現像ローラ１３にトナーを供給するトナー供給ローラ１９、現像ローラ１３上のトナー層を一定の層厚に規制するドクターブレード等を備えている。
【００３０】
中間転写ベルトユニット３は、本体装置のほぼ中央で図の左右のほぼ端から端まで扁平なループ状になって延在する無端状の転写ベルト１４と、この転写ベルト１４を掛け渡されて転写ベルト１４を図の反時計回り方向に循環移動させる駆動ローラ１５と従動ローラ１６を備えている。
【００３１】
上記の転写ベルト１４は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００３２】
この中間転写ベルトユニット３は、上記扁平なループ状の転写ベルト１４のループ内にベルト位置制御機構１７を備えている。ベルト位置制御機構１７は、転写ベルト１４を介して感光体ドラム７の下部周面に押圧する導電性発泡スポンジから成る一次転写ローラ１８を備えている。
【００３３】
ベルト位置制御機構１７は、マゼンタ（Ｍ）、シアン（Ｃ）及びイエロー（Ｙ）の３個の画像形成ユニット６Ｍ、６Ｃ及び６Ｙに対応する３個の一次転写ローラ１８を鉤型の支持軸を中心に同一周期で回転移動させる。
【００３４】
そして、ベルト位置制御機構１７は、ブラック（Ｋ）の画像形成ユニット６Ｋに対応する１個の一次転写ローラ１８を上記３個の一次転写ローラ１８の周期と異なる回転移動周期で回転移動させて転写ベルト１４を感光体ドラム７から離接させる。
【００３５】
すなわち、ベルト位置制御機構１７は、中間転写ベルトユニット３の転写ベルト１４の位置を、フルカラーモード（４個全部の一次転写ローラ１８が転写ベルト１４に当接）、モノクロモード（画像形成ユニット６Ｋに対応する一次転写ローラ１８のみが転写ベルト１４に当接）、及び全非転写モード（４個全部の一次転写ローラ１８が転写ベルト１４から離れる）に切換える。
【００３６】
上記の中間転写ベルトユニット３には、上面部のベルト移動方向最上流側の画像形成ユニット６Ｍの更に上流側に、ベルトクリーナユニットが配置され、下面部のほぼ全面に沿い付けるように平らで薄型の廃トナー回収容器２０が着脱自在に配置されている。
【００３７】
給紙部４は、上下２段に配置された２個の給紙カセット２１を備え、２個の給紙カセット２１の給紙口（図の右方）近傍には、それぞれ用紙取出ローラ２２、給送ローラ２３、捌きローラ２４、待機搬送ローラ対２５が配置されている。
【００３８】
待機搬送ローラ対２５の用紙搬送方向（図の鉛直上方向）には、転写ベルト１４を介して従動ローラ１６に圧接する二次転写ローラ２６が配設されて、用紙への二次転写部を形成している。
【００３９】
この二次転写部の下流（図では上方）側にはベルト式熱定着装置２７が配置されて、ベルト式熱定着装置２７の更に下流側には、定着後の用紙をベルト式熱定着装置２７から搬出する搬出ローラ対２８、及びその搬出される用紙を装置上面に形成されている排紙トレー２９に排紙する排紙ローラ対３１が配設されている。
【００４０】
両面印刷用搬送ユニット５は、上記搬出ローラ対２８と排紙ローラ対３１との中間部の搬送路から図の右横方向に分岐した開始返送路３２ａ、それから下方に曲がる中間返送路３２ｂ、更に上記とは反対の左横方向に曲がって最終的に返送用紙を反転させる終端返送路３２ｃ、及びこれらの返送路の途中に配置された４組の返送ローラ対３３ａ、３３ｂ、３３ｃ、３３ｄを備えている。
【００４１】
上記終端返送路３２ｃの出口は、給紙部４の下方の給紙カセット２１に対応する待機搬送ローラ対２５への搬送路に連絡している。また、本例において中間転写ベルトユニット３の上面部には、クリーニング部３５が配置されている。
【００４２】
クリーニング部３５は、転写ベルト１４の上面に当接して廃トナーを擦り取って除去して、図示を省略したベルトクリーナユニットの一時貯留部に溜め込み、その溜め込まれた廃トナーを搬送スクリューにより落下筒内を上部まで搬送し、落下筒を介して廃トナー回収容器２０に送り込んでいる。
【００４３】
図２は、画像形成ユニット６を１個のみ取り出して、その外観を示す斜視図である。図２に示すように、画像形成ユニット６は、外装フレーム３６の保持される現像器１２と、この現像器１２と一体になって外装フレーム３６に保持されるドラムユニット３７とで構成されている。
【００４４】
ドラムユニット３７には細長い溝状の長孔３８が形成されており、その長孔３８の下方に感光体ドラム７の上面が位置している。この画像形成ユニット６がプリンタ本体装置に装着されると、長孔３８に光書込ヘッド１１の先端の発光部が位置決めされて、画像形成の準備が整う。
【００４５】
図３は、図２に示す画像形成ユニット６において、現像器１２が、更にトナーカートリッジ４１と現像部４２に分離される２つのキット部から成ることを示す図である。図３はドラムユニット３７と未だ一体のままの現像器１２の現像部４２に対し、トナーカートリッジ４１が装置本体の用紙搬送方向に直行する方向に挿抜可能な構成であることを示している。
【００４６】
図４は、プリンタ１を構成する集合組立て部材の中の１つを示す一例として図３に示したトナーカートリッジ４１を取り上げ、そのトナーカートリッジ４１が内装袋４３により包装されている状態を示す図である。
【００４７】
このように内装袋４３により内装されるプリンタ１を構成する集合組立て部材は、トナーカートリッジ４１と限るものではなく、図１に番号を付与して示した殆どの各部材が内装袋４３により内装され、例えば大きなものでは木枠、重いものでは木箱、手に持てる又は抱える程度の重さのものは段ボール製の梱包箱等により外装されて、組立作業の現場や保守作業の現場に運搬される。
【００４８】
図５(a),(b) は、実施例１に係る梱包箱を示す図である。図５(a) は段ボール箱工場から平らに折り畳まれた形状で出荷される梱包箱４５の状態を示し、図５(b) はその梱包箱４５で被包装物品を外装するために梱包箱４５の組立を開始した状態を示している。尚、梱包箱４５の構成を分かり易く示すため、図５(b) では梱包箱４５の長尺側と短尺側の寸法比をやや図５(a) とは変えて示している。
【００４９】
図５(a),(b) に示すように、ダンボール製の梱包箱４５は、箱本体の四方を形成する側面部４６と、これら側面部４６の四方に連続する４枚の外側フラップ部４７（４７ａ、４７ｂ）と、４枚の側部フラップ部４８（４８ａ、４８ｂ）とを有している。
【００５０】
各フラップ部４７及び４８と側面部４６との境界には予めフラップ部を内側に谷折りする（外側に対しては山折りとなる）図には二点鎖線で示す折癖４９が形成され、各フラップ部４７及び４８との境界は予め切断されていて、実線で示すように切断部５１が形成されている。
【００５１】
そして、本例の梱包箱４５では、側部フラップ部４８と側面部４６との外側山折り部において、側部フラップ部４８と側面部４６とにわたって連続して形成された所定の長さの切り込み５２が形成されている。
【００５２】
箱本体の組立時には、折癖４９に従って４枚の側部フラップ部４８が内側に谷折りされて箱本体の開口の一部を覆い、更に外側フラップ部４７が内側に谷折りされて箱本体の上下の開口部の最外部を覆うようになっている。
【００５３】
このとき、外側フラップ部４７の対向端部４７ａ−１、と４７ａ−１、及び４７ｂ−１と４７ｂ−１がそれぞれ相互にほぼ密着する。そして、上記の切り込み５２は、箱本体の組立時に２枚の外側フラップ部４７の対向端部４７ａ−１又は４７ｂ−１がほぼ密着する位置に対応する位置に形成されている。
【００５４】
尚、図５(a),(b) では、切り込み５２は、箱本体の上下において側部フラップ部４８と側面部４６とにわたって形成されているが、箱本体の側面部４６に天地の方向が明確に分かる画像や表示などが予め印刷されているときは、天側の側部フラップ部４８と側面部４６だけに切り込み５２を形成するようにしてもよい。
【００５５】
ただし、梱包箱４５の外装を開梱（開封）後、資源再生のために梱包箱４５を図５(a) に示す状態に解体することを考えた場合は、やはり切り込み５２は、図５(a),(b) に示すように、箱本体の上下両方において側部フラップ部４８と側面部４６に形成されているほうが好ましい。
【００５６】
図６(a) 〜(d) は、梱包箱４５を使用して被外装物品を梱包する場合の図５(b) に続く梱包方法を説明する図である。図６(a) は、図５(b) に示したように箱本体の四方を側面部４６で形成したのち、先ず、梱包後の下面となる部分に対応する２枚の側部フラップ部４８ｂを内部に折込み、その内部に折り込んだ２枚の側部フラップ部４８ｂの外面に当てるように２枚の外側フラップ部４７ｂを折込む。
【００５７】
続いて、箱本体の四方の側面部４６のうち、折り込んだ２枚の外側フラップ部４７ｂの側部側の一方の側面部４６の一部４６ａから２枚の外側フラップ部４７ｂの対向端部４７ｂ−１に沿い他方の側面部４６の一部まで粘着テープ５３を貼着して梱包前の下面を封止し、箱本体の梱包前の上面開口５４から内部に被梱包部材を収容した状態を図６(a) は示している。
【００５８】
図６(b) は、梱包後の上面に対応する２枚の側部フラップ部４８ａを内部に折込み、２枚のうちいずれか一方の側部フラップ部４８ａの切り込み５２と、この切り込み５２に連続する側面部４６の切り込み５２とに紐５４を挿通する。このとき、紐５４の挿通端部を粘着テープ５３が封印時に側面部４６の切り込み５２を覆って貼着されるときの長さよりも長く引き出しておく。
【００５９】
次に、紐５４の挿通端部の反対側端部を、梱包後の上面に対応する２枚の外側フラップ部４７ａの対向端部４７ａ−１の、紐５４を挿通した切り込み５２の反対側端部まで延在させる。
【００６０】
そして、図６(c) に示すように、箱本体の梱包後の上面に折り込んだ２枚の外側フラップ部４７ａの側部側の、紐５４を挿通した切り込み５２がある側面部４６から、切り込み５２に挿通した紐５４の端部５４ａの適宜長を外部に露出させて粘着テープ５３を貼着する。
【００６１】
続いて、その粘着テープ５３を２枚の外側フラップ部４７ａの対向端部４７ａ−１に沿って延長させながら紐５４の挿通部の反対側の側面部４６の一部４６ａまで粘着テープ５３を貼着して梱包後の上面を封止する。
【００６２】
これで梱包箱４５による被梱包部材に対する外装梱包が完了する。尚、本例の梱包箱４５には、上述した梱包の手順を説明する説明書が添付されるようにする。
【００６３】
また、粘着テープ５３としては、ＰＰ（ポリプロピレン）テ−プ、紙ガムテープ、布ガムテープのいずれでもよい。いずれの粘着テープも、引っ張り抵抗は強いが、引き裂きには弱く、端部が切開されれば簡単に全体にわたって切開されやすい性質をもっている。
【００６４】
また、切り込み５２は、その側面部４６に形成される長さは、箱本体の組立時後の封印に使用される粘着テープ５３が側面部４６に貼着される長さよりも短く形成されている。つまり粘着テープ５３が側面部４６に貼着されたとき、この粘着テープ５３の貼着部によって隠れる長さである。
【００６５】
また、紐５４は、梱包箱４５の付属品として予め梱包箱４５に添付されていることが好ましい。この場合、紐５４の長さは、外側フラップ部４７ａ（又は４７ｂも含む）の対向端部４７ａ−１（又は４７ｂ−１も含む）の長さに、粘着テープ５３が側面部４６に貼着される長さを足した長さよりも長い紐５４を付属品として備えるようにするとよい。
【００６６】
また、図６(d) に示すように、紐５４の一端に、少なくとも人の指を差し入れるに足るだけの大きさの輪５５が予め形成されているようにすると、後述する梱包を開梱するときに、作業がしやすくなるので便利である。
【００６７】
また、輪５５を紐５４の一端にのみ形成するのではなく、紐５４全体を輪形状にして、粘着テープ５３の貼着部の外に引く出す端部を輪形状にし、粘着テープ５３と共に粘着テープ５３の裏面に延在する他の部分を２重にすると、後述する梱包を開梱するときの紐５４による粘着テープ５３を切り開くときの紐５４の強度を上げることができる。  
【００６８】
このような紐５４としては、丈夫な点ではテグスや凧紐などが優れているが、高価であったり販売量が少ない等の難点がある。これに対して、合成繊維製品を編織するための原糸となる合成樹脂のモノフィラメント糸、マルチフィラメント糸、又はファイバー撚糸等は、細くて、丈夫であり、紙管にコーン状に大量に巻回された状態で供給されるので、開梱用に大量に使用しやすい。
【００６９】
あるいは、畳床に藁を織り込むために使用される連続糸なども、細く、摩擦力が大きくて滑りにくい上に極めて丈夫であり、筒状の紙管にチーズ状に大量に巻回された状態で供給されるので、これも開梱用に大量使用しやすい紐であるといえる。
【００７０】
図６(c) 又は図６(d) に示す梱包後の梱包箱４５を開梱する開梱方法としては、梱包箱４５の上面を封止する粘着テープ５３の端部から外部に露出する紐５４の端部５４ａを手に持ち、手に持った紐５４の端部５４ａを粘着テープ５３に沿って粘着テープ５３の外側へ引き上げるようにして粘着テープ５３を紐５４の延長部で切り開いていく。
【００７１】
これにより、梱包箱４５の梱包後の上面に折り込まれて粘着テープ５３で封止されていた２枚の外側フラップ部４７ａの対向端部４７ａ−１が両側に開成可能に開放される。この場合も、上記の開梱説明書を付属品として梱包箱４５に添付するようにするとよい。
【００７２】
本例の開梱方法によれば、紐を引いて粘着テ−プの端部を切り破り、そのまま粘着テ−プの方向に粘着テ−プを切り開いていくので、工具も使用せず箱側に損傷を与えることもなく指一本で容易に開封できるという効果がある。
【００７３】
図７(a) 〜(e) は、実施例２に係る梱包箱を使用して被外装物品を梱包する場合の梱包方法を説明する図である。同図(a),(b) に示すように、本実施例２の梱包箱５７は、箱本体の四方を形成する側面部５８を有する。
【００７４】
そして、更に梱包箱５７は、それら側面部５８の四方の下側端部にそれぞれ連続し、箱本体の組立時に互いに組み合わせる方式で協働して接着材の不要な又は一部に接着材による接着部を有して箱本体の底面を形成する４枚の底部フラップ部６１、６２、６３及び６４を有する。
【００７５】
図７(a) は、４枚の底部フラップ部６１、６２、６３及び６４を互いに組み合わせる方式で接着材無しで組み立てた梱包箱５７の底面を示す図である。図７(a) に示す底面は先ず、長尺側の一方の底部フラップ部６４を内側に折り込む。次に、その折り込んだ底部フラップ部６４の両端部６４ａ、６４ｂを上から押さえ込むようにして、短尺側の両側の底部フラップ部６１及び６３を内側に折り込む。
【００７６】
続いて、それら短尺側の底部フラップ部６１及び６３の延出部６１ａ及び６３ａの部分を上から押さえ込むようにして長尺側の他方の底部フラップ部６２を内側に折り込むと同時に、底部フラップ部６２の先端部６２ａを、底部フラップ部６４の先端部６４ａより下方に潜り込ませる。
【００７７】
これにより、底部フラップ部６４は、一方では両端部６４ａ、６４ｂを底部フラップ部６１及び６３により抑え込まれると共に、他方では底部フラップ部６２の先端部６２ａを抑え込む。
【００７８】
また、底部フラップ部６２は、一方ではその先端部６２ａを底部フラップ部６４により抑え込まれると共に、他方では底部フラップ部６１及び６３の延出部６１ａ及び６３ａを抑え込む。
【００７９】
そして、底部フラップ部６１及び６３は、一方ではその延出部６１ａ及び６３ａを底部フラップ部６２により抑え込まれると共に、他方では底部フラップ部６４の両端部６４ａ、６４ｂを抑え込む。
【００８０】
このように底面を形成する４枚の底部フラップ部６１、６２、６３及び６４は、互いに組み合わせられて、他のフラップから外側に押される反発を受けながら（自分では他のフラップを内側に押し込みながら）、その他のフラップに対して外側に反発する（自分はその他のフラップから内側に押し込まれる）。
【００８１】
このようにして接着材を用いずに梱包箱の底部を平面に保って形成することができる。尚、内部に梱包する被梱包部材が重いものである場合のようなときには、部分的に、例えば６１ａ及び６３ａの部分に接着剤を用いるようにしてもよい。
【００８２】
この梱包箱５７は、同図(b) に示すように、側面部５８の四方の上側端部の一辺の端部に連続し、先端部６５ａが一辺の端部に対向する他辺の端部６６に係合して箱本体の上側開口部の最外部を覆う上部フラップ部６５と、この上部フラップ部６５の内側面に接し上側開口部の一部を覆う２枚の側部フラップ部６７とを有する。
【００８３】
そして、上部フラップ部６６の先端部６５ａと他辺の端部６６との係合部の近傍において、側面部５８と側部フラップ部６７とにわたって連続して形成された所定の長さの切り込み６８を有する。尚、図７(b) は、図７(a) のように底面の組立後、上部の開口６９から被梱包部材を内部に収容した梱包を開始した初期の状態を示している。
【００８４】
続く梱包の進行では、図７(c) に示すように、上面の内部に折り込まれた２枚の側部フラップ部６７（図７(a),(b) では梱包箱５７の向う側１／２は図示を省略しているので向う側の側部フラップ部６７は見えない）の切り込み６８と、この切り込み６８に連続する側面部５８の切り込み６８とに紐７１を挿通する。このとき、紐７１の挿通端部を粘着テープ５３が封印時に側面部５８の切り込み６８を覆って貼着されるときの長さよりも長く引き出しておく。
【００８５】
次に、紐７１の挿通端部からの延長部７１ａを、上部フラップ部６５の先端部６５ａの紐７１を挿通した切り込み６８の反対側の側部まで延在させる。
【００８６】
そして、図７(c) に示すように、箱本体の梱包後の上面に折り込んだ上部フラップ部６５の先端部６５ａと他辺の端部６６との係合部に、切り込み６８に挿通した紐７１の端部７１ｂの適宜長を外部に露出させて粘着テープ５３を貼着して梱包後の上面を封止する。これで梱包箱５７による被梱包部材に対する外装梱包が完了する。
【００８７】
尚、本例の場合も、図７(e) に示すように、紐７１の端部７１ｂに、少なくとも人の指を差し入れるに足るだけの大きさの輪７１ｃを予め形成しておくと、梱包を開梱するときに作業がしやすくなる。また、本例の梱包箱５７における開梱時の手順は、実施例１の場合と同様である。また、梱包箱５７には、上述した梱包の手順及び開梱の手順を説明する説明書が添付されるようにするとよい。
【産業上の利用可能性】
【００８８】
本発明は、被梱包物品を外装梱包する梱包箱に利用することができる。
【符号の説明】
【００８９】
１  プリンタ
２  画像形成部
３  中間転写ベルトユニット
４  給紙部
５  両面印刷用搬送ユニット
６（６Ｍ、６Ｃ、６Ｙ、６Ｋ）  画像形成ユニット
７（７ｍ、７ｃ、７ｙ、７ｋ）  感光体ドラム
８  クリーナ
９  帯電ローラ
１１  光書込ヘッド
１２  現像器
１３  現像ローラ
１４  転写ベルト
１５  駆動ローラ
１６  従動ローラ
１７  ベルト位置制御機構
１８  一次転写ローラ
１９  供給ローラ
２０  廃トナー回収容器
２１  給紙カセット
２２  用紙取出ローラ
２３  給送ローラ
２４  捌きローラ
２５  待機搬送ローラ対
２６  二次転写ローラ
２７  ベルト式熱定着装置
２８  搬出ローラ対
２９  排紙トレー
３１  排紙ローラ対
３２ａ  開始返送路
３２ｂ  中間返送路
３２ｃ  終端返送路
３３ａ、３３ｂ、３３ｃ、３３ｄ  返送ローラ対
３５  クリーニング部
３６  外装フレーム
３７  ドラムユニット
３８  長孔
４１  トナーカートリッジ
４２  現像部
４３  内装袋
４５  梱包箱
４６  側面部
４６ａ  側面部の一部
４７（４７ａ、４７ｂ）  外側フラップ部
４７ａ−１、４７ｂ−１  対向端部
４８（４８ａ、４８ｂ）  側部フラップ部
４９  折癖
５１  切断部
５２  切り込み
５３  粘着テープ
５４  紐
５４ａ  紐の端部
５５  輪
５７  梱包箱
５８  側面部
６１、６２、６３、６４  底部フラップ部
６１ａ、６３ａ  延出部
６２ａ、６４ａ  先端部
６５  上部フラップ部
６５ａ  先端部
６６  対向する他辺の端部
６７  側部フラップ部
６８  切り込み
６９  上部開口
７１  紐
７１ａ  延長部
７１ｂ  端部
７１ｃ  輪
【図５】
0005407587.tif 000002
【図１】
0005407587.tif 000003
【図２】
0005407587.tif 000004
【図３】
0005407587.tif 000005
【図４】
0005407587.tif 000006
【図６】
0005407587.tif 000007
【図７】
0005407587.tif 000008